(57)【要約】 【課題】  使用者が操作部を操作することで電気・電子の処理を行う電気・電子装置において、操作することによる使用者の手の疲れを軽減するためのパームレストとより一層良好な使い勝手を得るためのキーボードを備え、且つ、装置そのものをコンパクトに抑えて携行が可能な構成にすることを目的とする。【解決手段】    第一の操作部３を、装置本体２の上部でスライド可能に配設し、パームレスト６を、第一の操作部３をそのスライドさせることで形成される装置本体２の上部のスペース位置と垂下して装置本体２の前面１５を覆う位置を取るように装置本体２に枢支させ、更に、第二の操作部４を、装置本体２の前面１５から突出と収納の位置を取りように、備えて構成した。【選択図】  図１
2008210014.tif 000002
【特許請求の範囲】
【請求項１】
装置本体と、その装置本体に内蔵され、使用者からの操作内容に従って電気・電子的な処理を行う電気・電子処理回路と、その電気・電子処理回路に操作信号を送るための操作スイッチ類が備えられた操作面が一の面に配設されてなる第一の操作部及び第二の操作部と、装置の機能状態を表示する表示部と、前記第一の操作部を操作する際に使用者の手を支持するパームレストが備えられ、
上記第一の操作部は、その操作面を上面にして、且つ、上記装置本体に対して前後方向にスライド可能に装置本体の天面に配設され、上記パームレストは、非使用時には装置本体の前面を覆うように垂下の位置を取り、且つ、前記第一の操作部を前記装置本体に対して後方にスライドしている際には回転して前記装置本体の天面に載置する位置を取るように前記装置本体の前部の上部で枢支され、上記表示部は、前記第一の操作部の操作面と対向するように開閉可能であって、前記第一の操作部とその後部で蝶番によって一体化され、上記第二の操作部は、前記装置本体の前面に対して突出と収納の位置を取り得るように配設されてなることを特徴とする電気・電子装置。
【発明の詳細な説明】
【技術分野】
【０００１】
この発明は、電気・電子的な処理を行う電気・電子装置に関する。
特に、その電気・電子処理操作の信号を送るための二つの操作部と操作時の手の疲れを軽減するためのパームレストを備えた電気・電子装置において、装置本体の携帯性の向上の改良に関する。
【背景技術】
【０００２】
例えば、放送局等で使用する音声編集装置といった電気・電子装置は、従来から、使い勝手を得るために操作面が装置本体の上部に配設されている。
尚、上記の音声編集装置には装置本体の内部に電気・電子処理回路が配設され、この電気・電子処理回路によって音声データ記録再生用のディスクドライブの制御、機能状態を表示する表示部の制御、操作部からの操作信号の処理等が行われる構成になっている。
【０００３】
斯かる構成の音声編集装置において、操作部である各種のスイッチ類、ジョグダイヤル、キーボード等は正確に操作する必要があり、使用者にとって斯かる操作は負担が大きいという問題がある。
特に、操作部の操作が長時間に亘る場合には、問題はより一層深刻である。又、今日では装置そのものが多機能であることからスイッチ類の数が多く、その分、各スイッチが小さく形成される傾向があり、正確な操作入力というもう一つの必要性から、操作時の使用者により一層多大な負担をかけていた。
【０００４】
斯かる事情に対して、操作部に対して操作を行っている使用者の手に対する負担を軽減するために、使用者の手を支持するパームレストを操作部の近傍に配設した構成の電気・電子装置が考えられる。
斯かる構成であれば、操作を行っている際の使用者の手の負担を軽減し、その分、より正確な操作を可能にし、又、より長い時間の操作に対応が可能になる。
【０００５】
【非特許文献１】“D&M Professional - SO5600 Palm Rest”、[online]、[平成１９年２月２０日検索]、インターネット〈URL：http://www.dm-pro.jp/products/broadcast/so5600.html〉
【発明の開示】
【発明が解決しようとする課題】
【０００６】
上記の非特許文献で開示されている装置は、操作部であるキーボードを載置し、且つ、装置本体に対して突出と収納の位置を取る引き出しと、装置本体の上部に別体の電気・電子装置を嵌合収納するように形成された凹部と、その凹部の手前側に配設したパームレストが備えられている。
斯かる構成の装置では、上記電気・電子装置を上記凹部に嵌合収納して使用する場合には、使用者の手をパームレストが支持するので、使用者が手に大きな負担を受けることを避けることが可能になる。
【０００７】
又、上記電気・電子装置に上記キーボードを接続することによって、上記キーボードから上記電気・電子装置に操作の信号を送ることが可能になり、上記電気・電子装置に使い勝手の良好な操作を行うことが可能になる。
しかしながら、非特許文献で開示されている装置に電気・電子装置とキーボードを一体化させた状態で携帯して使用する場合には、非特許文献で開示されている装置から電気・電子装置とキーボードが離脱することを防ぐための手段が必要となって、非特許文献で開示されている装置の長所である全体としてのコンパクト化が得られなくなるという問題が生じる。
【０００８】
この問題を解決するに、パームレストやキーボードを含まない構成が考えられるが、パームレストがない構成では使用者が長い時間の操作を行うと手が疲れるという問題が生じる。他方、キーボードを含まない構成では使い勝手が悪かったり、具備される電気・電子装置が高度な場合には操作が対応し難くなるという問題が生じる。
他方、今日では、一般に電気・電子装置は多機能化しており、操作用釦（操作キー）、操作用ダイヤル等の数が増加して操作用釦、操作用ダイヤル等が装置全体の表面を覆う面積が大きくなる傾向にあり、コンパクト化の問題はより一層深刻になる。
【０００９】
この発明は、上記の事情に鑑みて為されたものであって、装置を操作することによる手の疲れが生じ難く、キーボードを備えていることから使い勝手がよく、更に、装置そのものがコンパクトで携行が可能な電気・電子装置を提供するものである。
【課題を解決するための手段】
【００１０】
この発明の詳細な構成は、装置本体と、その装置本体に内蔵され、使用者からの操作内容に従って電気・電子的な処理を行う電気・電子処理回路と、その電気・電子処理回路に操作信号を送るための操作スイッチ類が備えられた操作面が一の面に配設されてなる第一の操作部及び第二の操作部と、装置の機能状態を表示する表示部と、前記第一の操作部を操作する際に使用者の手を支持するパームレストが備えられ、
上記第一の操作部は、その操作面を上面にして、且つ、上記装置本体に対して前後方向にスライド可能に装置本体の天面に配設され、上記パームレストは、非使用時には装置本体の前面を覆うように垂下の位置を取り、且つ、前記第一の操作部を前記装置本体に対して後方にスライドしている際には回転して前記装置本体の天面に載置する位置を取るように前記装置本体の前部の上部で枢支され、上記表示部は、前記第一の操作部の操作面と対向するように開閉可能であって、前記第一の操作部とその後部で蝶番によって一体化され、上記第二の操作部は、前記装置本体の前面に対して突出と収納の位置を取り得るように配設されてなることを特徴とする電気・電子装置である。
【００１１】
つまり、この発明は、使用時には、第二の操作部に、装置本体の前面から突出の位置を取らせると共に、パームレストに、第一の操作部を装置本体に対して後方にスライドさせている際には回転して装置本体の天面に載置する位置を取らせることが可能であり、且つ、非使用時には、第二の操作部に、装置本体の前面から突出の位置を取らせると共に、パームレストに、装置本体の前面を覆うように垂下の位置を取らせることが可能である。
【発明の効果】
【００１２】
この発明は、装置を操作する際には、第一の操作部を装置本体に対して後方にスライドさせ、そのスライドによって生じる空きスペースにパームレストを位置させると共に、第二の操作部を装置本体に対して前方突出の位置を取らせ、且つ、携行時などの非使用時の際には、第一の操作部をスライドさせて装置本体の元の位置に戻すと共に、第二の操作部を装置本体に収納させ、且つ、パームレストを装置本体の前面を覆うように垂下の状態を取らせることが可能であることから、第一の操作部を操作する際にパームレストを使用することが可能であることから操作時に手の疲れが生じ難く、第二の操作部であるキーボードを備えていることから使い勝手がよく、更に、非使用時には、各部を装置本体に対してスライド、回転等によって装置本体をほぼ箱形状に納めることが可能なことからコンパクトで携行が可能な電気・電子装置である。
【発明を実施するための最良の形態】
【００１３】
この発明を、以下において図面と共に最良の形態に基づき説明する。しかし、この形態によって、この発明が限定されるものではない。
電気・電子装置１は、図１に示すように、装置本体２と、電気・電子処理回路（図示省略）と、操作部３，４と、表示部５と、パームレスト６と、把手７が備えられている。
【００１４】
装置本体２は、図面に示すように、ほぼ方形の箱形状になっている。
装置本体２の両側部、底部及び背部（以上、図示省略）は、一体的に形成されて互いの位置関係は常に一定に構成されている。
装置本体２の右側部には、把手７が取り付けられている。
【００１５】
上記電気・電子処理回路は、使用者が操作部３，４を介して行った操作の内容に対応する信号を受け、その信号に従って電気・電子的な処理を行うものである。
具体的には、電気・電子装置１が例えば音声編集装置である場合に、上記電気・電子処理回路は、音声データの編集、音声データ記録・再生用のディスクドライブの制御、機能状態を表示する表示部の制御、内蔵メモリの書き込み・書き換え等を行う。
【００１６】
操作部３は、操作面８を上面にして、装置本体２の天面（図示省略）に、装置本体２に対して前後方向（矢印Ａ方向）にスライド可能に配設されている。つまり、装置本体２の上部と操作部３の間には、操作部３を装置本体２に対して矢印Ａ方向にガイドしてスライドさせ得るガイド機構（図示省略）が配設されている。
操作部３の操作面８には、複数個のキー釦９、ジョグダイヤル式操作釦１０、スピーカ１１が配設されている。
【００１７】
表示部５は、操作部３に対してその後部において蝶番１２によって開閉可能（矢印Ｂ方向）の状態で一体化さている。尚、蝶番１２は、具体的に、フリーストップヒンジが挙げられる。
ここで、操作部３の操作面８と表示部５の液晶表示面１３は、互いに対向し得る状態に配設されている。
【００１８】
ここで、表示部５の背面１４は、装置本体２の前記両側部、底部等と同じ材料で形成することによって、非使用時の箱形状の体裁を取らせた際には、装置全体により一層高い一体感を得ることが可能になっている。
パームレスト６は、装置本体２を形成する両側部の前部の上部に枢支され、非使用時には装置本体２の前面１５を覆うように垂下の位置を取り、且つ、操作部３を装置本体２に対して後方にスライドしている際には回転して（矢印Ｃ方向）装置本体２の天面に載置する位置を取る構成になっている。尚、１６は枢支部である。
【００１９】
パームレスト６は、非使用時に装置本体２の前面１５を覆って垂下の位置を取っている際に、レスト作用部１７の逆側である裏面１８が装置本体２の前面１５に位置することになる。
ここで、パームレスト６の裏面１８は、装置本体２の前記両側部、底部等と同じ材料で形成することによって、非使用時の箱形状の体裁を取らせた際には、装置全体により一層高い一体感を得ることが可能になっている。
【００２０】
尚、パームレスト６は、使用者の手を支持するレスト作用部１７を、クッション性のある使い勝手の良好な材料で形成することが可能である。
操作部４は、装置本体２に対して矢印Ｄ方向にスライドすることによって、装置本体２の前面１５から突出及び収納の位置を取ることが可能になっている。
【００２１】
尚、操作部４の上面は操作面１９に構成され、複数個のキー釦２０が配設されており、具体的にはキーボードである。
又、操作部４が装置本体２に完全に収納すると、パームレスト６の裏面１８は、装置本体２の前記両側部及び底部によって形成されているコの形状の前端部と、ほぼ面一の状態を形成することになる。
【００２２】
装置本体２の前面１５には、円板形状の記録媒体２１を装置本体２の内部に入れたり、取り出したりするためのスリット状の開口部２２が形成されている。
電気・電子装置１は、上述したように構成されている。以下において、電気・電子装置１の使用形態を説明する。
【００２３】
電気・電子装置１は、非使用時で初期の状態では、図２に示すように、パームレスト６が枢支部１６を中心に回転して装置本体２の前面１５を覆うように垂下している。
又、表示部５は、操作部３に対して閉の状態を取っている。
更に、操作部３は、装置本体２に対して前方向にスライドされた位置にある。
【００２４】
電気・電子装置１は斯かる状態で、装置本体２のフロント面がほぼ面一の状態になっており、且つ、装置本体２の天面もほぼ面一の状態になっている。
従って、電気・電子装置１は、この状態でほぼ方形の箱形状の外観を有しており、大きな突出部や凹部がなく、又、操作部３，４、表示部５の液晶表示面１３、記録媒体２１を出し入れするための開口部２２が表に晒されていないことから、微少な衝撃であっても装置そのものが実質的に大きく損傷を受けるといった事態は生じ難い。
【００２５】
次に、電気・電子装置１を使用する際は、図３に示すように、表示部５と蝶番１２によって一体化されている操作部３を装置本体２に対して矢印Ａ後方向にスライドする。
続いて、表示部５を操作部３に対して矢印Ｂ開方向に回転して、使用者にとって見易い角度に開く（図４を参照）。
【００２６】
更に、図５に示すように、装置本体２に対して垂下の状態のパームレスト６を矢印Ｃ開方向に回転し、レスト作用部１７を水平の状態に位置する。
加えて、装置本体２に収納されている操作部４を、矢印Ｄ前方向にスライドさせて装置本体２に対して突出の位置を取る。
【００２７】
ここで、図１に示すように、電気・電子装置１は、使用可能な状態を得る。尚、電気・電子装置１を携行する場合には、電気・電子装置１を上述して来たと逆の順序の操作を行うことによって、図２に示す非使用の状態を得ることが可能になる。
電気・電子装置１は、上述したように、非使用の状態であって携行に利便な箱形状の状態から操作（使用）を行う状態にする際は、操作部３を装置本体２に対して矢印Ａ後方向にスライドさせ、そのスライドによって生じる空きスペースにパームレスト６を矢印Ｃ開方向に回転して位置させることによって行うので、パームレスト６の使用が可能であってその分使用者の操作による疲れを生じさせ難く且つパームレスト６の装置本体２への収納性から装置全体をより一層コンパクトにさせている。
【００２８】
又、電気・電子装置１は、操作部４がスライドによって装置本体２に対して突出と収納の位置を取ることから、上記電気・電子処理回路への操作の使い勝手が良好であって且つ装置全体のコンパクト化が図られている。
更に、電気・電子装置１は、図２に示す非使用時の状態ではほぼ方形の箱形状に形成され、大きな凸部や凹部を備えていないことにより、携行に好適な形状になっている。
【００２９】
電気・電子装置１は、装置本体２の前面１５の上部に操作部４がスライド可能に配設され、下部に開口部２２が形成されているが、その上下の位置関係が逆の構成であってもよい。
【００３０】
電気・電子装置１は、操作部３が操作キー９に加えて、ジョグダイヤル式操作釦１０及びスピーカ１１が備えられているが、それらが備えられていない構成であってもよく、スライド式操作スイッチ等が備えられた構成であってもよい。
操作部４は、実質的にキーボードであるが、他の構成の操作信号を入力する構成であってもよい。
【００３１】
電気・電子装置１は、装置本体２の寸法、表示部５の大きさは開示していないが、装置本体２に内蔵する上記電気・電子処理回路の大きさ、パームレスト６の機能上で決まる大きさ、操作部３のキー釦の大きさと数、表示部５の液晶表示面１３の視覚上の好ましいサイズ等に基づいて適宜設定することが望ましい。
これらの装置本体２に内蔵する上記電気・電子処理回路の大きさ、パームレスト６の機能上で決まる大きさ、操作部３のキー釦の大きさと数、表示部５の液晶表示面１３の視覚上の好ましいサイズ等は、数値の具体性を欠いているが、装置全体を折り畳んだ際にコンパクトに抑え得るという効果は変わらない。
【図面の簡単な説明】
【００３２】
【図１】この発明の実施の最良の形態の使用時の状態を示す斜視図である。
【図２】図１に示す最良の形態の非使用時の状態を示す斜視図である。
【図３】図１に示す最良の形態で、第一の操作部を装置本体に対して後方にスライドされた状態を示す斜視図である。
【図４】図１に示す最良の形態で、図３に示す状態から更に第一の操作部に対して表示部が開となった状態を示す斜視図である。
【図５】図１に示す最良の形態で、図４に示す状態から更に装置本体に対して第二の操作部が突出の位置を取った状態を示す斜視図である。
【符号の説明】
【００３３】
１          ：電気・電子装置
２          ：装置本体
３          ：操作部
４          ：操作部（キーボード）
５          ：表示部
６          ：パームレスト
８          ：操作面
１２        ：蝶番
１５        ：前面
１６        ：枢支部
１７        ：レスト作用部
１９        ：操作面
【図１】
2008210014.tif 000003
【図２】
2008210014.tif 000004
【図３】
2008210014.tif 000005
【図４】
2008210014.tif 000006
【図５】
2008210014.tif 000007